(57)【特許請求の範囲】
【請求項１】
赤色光の透過波長帯域が６３０〜７５０ｎｍであるポジフィルムの透過波長帯域の波長に相当する光を少なくとも放つ光源と、分光手段と、第１撮像装置と、第２撮像装置とを備え、前記光源の光をフィルムに照射して得られた画像光を前記分光手段を介して前記各撮像装置に照射する画像読取装置において、
前記分光手段は、第１撮像装置に赤色光の透過波長帯域が６５０〜７５０ｎｍであるネガフィルムの該透過波長帯域の下限未満の波長の光を、第２撮像装置に該透過波長帯域の下限以上の波長の光をそれぞれ振り分けて照射させ、
ネガフィルムの画像を読み取る場合、赤色光については第２撮像装置により得られたデータのみを使用する一方、
ポジフィルムの画像を読み取る場合、赤色光については両撮像装置により得られたデータを加算処理して使用することを特徴とする画像読取装置。
【発明の詳細な説明】
【０００１】
【発明の属する技術分野】
本発明はカラーフィルムに記録された画像を電子情報として読み取る画像読取装置に関する。
【０００２】
【従来の技術】
図３は、従来のこの種の画像読取装置を示す。
【０００３】
図３に示すように従来の画像読取装置１０は、ハロゲンランプ２と、調光フィルタ（ＮＤフィルタも含む）Ｆ（ポジフィルム用Ｆｐ及びネガフィルム用Ｆｎ）と、フィルム送り装置３と、レンズ４と、コールドミラー１１が形成されたビームスプリッタ１２と、第１ＣＣＤラインセンサ１３と、第２ＣＣＤラインセンサ１４とを備える。
【０００４】
ハロゲンランプ２からの光は、調光フィルタＦｎあるいはＦｐを介してフィルム送り装置３に装着されたフィルムＰを透過し、フィルムＰ上の画像情報を伴った光（以下、「画像光」という）はレンズ４を通過した後ビームスプリッタ１２に設けられたコールドミラー１１で可視光用の第１ＣＣＤラインセンサ１３と赤外光用の第２ＣＣＤラインセンサ１４に振り分けられて照射され、フィルムＰ上の像が電子データに変換される。
【０００５】
第１ＣＣＤラインセンサ１３は可視光用のカラー３色ＣＣＤラインセンサで青色光、緑色光、及び赤色光の各色に対応した分光感度を有する３つのＣＣＤラインセンサが並列一体化されて配列されており、第２ＣＣＤラインセンサ１４は赤外光用のＣＣＤラインセンサからなる。第２ＣＣＤラインセンサ１４は、カラー３色ＣＣＤラインセンサの有する３つのＣＣＤラインセンサの内の一つを、赤外光用として使用する場合もある。
【０００６】
フィルムＰ上の画像の読み取りに当っては各ＣＣＤラインセンサ１３、１４は内部で電子走査により主走査を行う一方、フィルム送り装置３でフィルムＰを副走査方向に変位させて副走査を行い、画像全体を読み取っている。
【０００７】
本画像読取装置１０で得られた電子データはメモリに取り込まれ、印画紙への露光用データとして使用されたり、プリンタでハードコピーされるなど種々の態様で利用される。
【０００８】
コールドミラー１１は透明な基板上に高屈折率の層と低屈折率の層を互いに積層して赤外線透過膜を形成したもので、図４のように、通常８００ｎｍ以上の波長の光を透過させ、８００ｎｍ未満の波長の光を反射する特性を持っている。本画像読取装置１０では第１ＣＣＤラインセンサ１３に可視光が、第２ＣＣＤラインセンサ１４に赤外光が振り分けて照射されるようにコールドミラー１１と各センサが配置されている。
【０００９】
ここで、赤外光はフィルムＰ上の画像を形成する色素は透過するが、フィルムＰ上に存在するキズや埃は透過しないため、第２ＣＣＤラインセンサ１４によりキズや埃のみに関する画像データを得ることができる。
【００１０】
そして、第１ＣＣＤラインセンサ１３により得られた可視光によるキズや埃を含むデータと第２ＣＣＤラインセンサ１４により得られた赤外光によるキズや埃のみのデータの間で画像処理を行うことにより、それらにより生じる画像の欠陥を除去することができる。
【００１１】
【発明が解決しようとする課題】
ここで、画像読取装置１０で読み取りに使用されるネガポジフィルムとポジフィルムの透過波長特性は、図５（ネガフィルム）、および図６（ポジフィルム）のようになっている。
【００１２】
これらの図からわかるように、青色光、緑色光、赤色光、および赤外光それぞれの波長帯域の間には画像の色の構成に寄与しない波長帯域が存在し、これらの不要な光が各ＣＣＤラインセンサ１３、１４に照射されると画像の色再現性が悪化することになる。
【００１３】
そこで、画像読取装置１０では、青色光、緑色光、赤色光および赤外光それぞれの透過波長帯域の光を透過させる調光フィルタＦをランプ２とフィルムＰの間に挿入し、不要な光が各ＣＣＤラインセンサに照射されることを防いでいる。
【００１４】
ここで図５と図６を比較すると、ネガフィルムとポジフィルムの赤色光の透過波長帯域は一致していないことがわかる。
【００１５】
すなわち、ネガフィルムの赤色光の透過波長帯域が６５０〜７５０ｎｍであるのに対し、ポジフィルムの赤色光の透過波長帯域は６３０〜７５０ｎｍと、ネガフィルムの透過波長帯域を含んだ上にさらに短波長側に分布している。
【００１６】
よって、調光フィルタＦの赤色光の透過波長帯域を、ネガフィルムの画像を読み取る場合は、６５０〜７５０ｎｍに、ポジフィルム上の画像を読み取る場合は６３０〜７５０ｎｍにそれぞれ設定する必要がある。
【００１７】
ネガフィルムの画像を読み取る場合にポジフィルム用の調光フィルタＦｐを使用すると、６３０〜６５０ｎｍの範囲の光がノイズとしてＣＣＤラインセンサ１３に照射され、画像の色再現性が低下する。
【００１８】
また、ポジフィルムの画像を読み取る場合にネガフィルム用の調光フィルタＦｎを使用すると、必要な情報を含んだ６３０〜６５０ｎｍの範囲の光がＣＣＤラインセンサ１３に照射されず、この場合も画像の色再現性が低下する。
【００１９】
従って、画像の色再現性を低下させないようにするために、２種類の調光フィルタＦｎ、Ｆｐをフィルムの種類に応じて選択的に切り替える必要があるが、調光フィルタＦｎ、Ｆｐは分光特性に高い精度が要求されるため高価であり、切り替え機構も必要であるため装置の製造コストが高くなる不具合がある。
【００２０】
本発明は、上記従来の課題を解決するもので、調光フィルタの切り替えをすることなく、ネガフィルムとポジフィルムとの赤色光の透過波長特性の差異による色再現性の低下を防止できる画像読取装置を提供することを目的とする。
【００２１】
【課題を解決するための手段】
本発明は、上記目的を達成するために、赤色光の透過波長帯域が６３０〜７５０ｎｍであるポジフィルムの透過波長帯域の波長に相当する光を少なくとも放つ光源と、分光手段と、第１撮像装置と、第２撮像装置とを備え、前記光源の光をフィルムに照射して得られた画像光を前記分光手段を介して前記各撮像装置に照射する画像読取装置において、前記分光手段は、第１撮像装置に赤色光の透過波長帯域が６５０〜７５０ｎｍであるネガフィルムの該透過波長帯域の下限未満の波長の光を、第２撮像装置に該透過波長帯域の下限以上の波長の光をそれぞれ振り分けて照射させ、ネガフィルムの画像を読み取る場合、赤色光については第２撮像装置により得られたデータのみを使用する一方、ポジフィルムの画像を読み取る場合、赤色光については両撮像装置により得られたデータを加算処理して使用することを特徴とする。
【００２２】
上記構成による画像読取装置により、フィルムに照射される赤色光の波長帯域はポジフィルムの赤色光の透過波長帯域の波長に相当している。一方、読み取りの対象のネガフィルムの赤色光の透過波長帯域はポジフィルムの赤色光の透過波長帯域の長波長側において一致しているが、短波長側ではポジフィルムの赤色光の透過波長帯域はネガフィルムの赤色光の透過波長帯域の下限未満の波長帯域側に広がっている。
【００２３】
そのため、ネガフィルムの画像を読み取る場合は、分光手段に照射される赤色光は前記ネガフィルムの赤色光の透過波長帯域の下限未満の波長帯域側の不要なものを含んでいるが、分光手段により、ネガフィルムの赤色光の透過波長帯域の下限未満の波長の光を第１撮像装置に、前記透過波長帯域の下限以上の波長の光を第２撮像装置に振り分けて照射させているので、第２撮像装置には画像を構成するために必要な波長帯域の光のみが照射されることになる。
【００２４】
一方、ポジフィルムの画像を読み取る場合は、画像光の赤色光の波長帯域の光は不要な波長の光を含んでいないが、分光手段によりネガフィルムの赤色光透過波長帯域の下限の波長を境に第１撮像装置と第２撮像装置に振り分けられることになる。
【００２５】
すなわち、両撮像装置に上記下限の波長未満の赤色光と、上記下限の波長以上の赤色光が別々に分かれて照射されることになるが、これらの撮像装置により得られるデータを加算処理すれば赤色光についての完全なデータを得ることができる。
【００２６】
また、本発明で、少なくともポジフィルムの透過波長帯域の波長に相当する光を放つ光源としては、ハロゲンランプのような白色光を放つ光源と、少なくともポジフィルムの透過波長帯域の波長の光に対して高透過度を有するフィルタを組み合わせたもの、あるいは光源自身が少なくとも前記波長帯域の光を放つ性質を有するものなどを使用することができる。
【００２７】
ここで、ネガフィルムの赤色光の透過波長帯域は６５０〜７５０ｎｍである。従って、ネガフィルムの赤色光の透過波長帯域の下限は６５０ｎｍとなる。即ち、分光手段が第１撮像装置に波長が６５０ｎｍ未満の光を、第２撮像装置に波長が６５０ｎｍ以上の光をそれぞれ照射するようにすることにより色再現性に関して良好な結果が得られる。
【００２８】
上記のように、本発明による画像読取装置によれば、分光手段の特性を変更することにより、ネガフィルム用とポジフィルム用のフィルタを備えてそれらを選択的に切り替えることなく、両フィルムの赤色光の透過波長特性の差異による色再現性の低下を防止することができる。
【００２９】
【発明の実施の形態】
本発明に係る画像読取装置の実施形態について、以下図面を参照しつつ詳細に説明する。
【００３０】
図１は、本発明の一実施形態に係る、画像読取装置１の全体の構成を概略的に示す図である。
【００３１】
本実施形態の画像読取装置１０は、光源を構成するハロゲンランプ２とポジフィルム用調光フィルタＦｐ、分光手段としてのビームスプリッタ６、第１撮像装置としての第１ＣＣＤラインセンサ７、第２撮像装置としての第２ＣＣＤラインセンサ８を備えている。
【００３２】
本実施形態の画像読取装置１０は、更にフィルムＰを装着して機械的な走査を行うフィルム送り装置３、フィルムＰ上の画像を第１ＣＣＤラインセンサ７と第２ＣＣＤラインセンサ８上に結像させるレンズ４を備えている。
【００３３】
ポジフィルム用調光フィルタＦｐは、ポジフィルムの透過波長帯域の波長に相当する、青色光、緑色光、赤色光、および赤外光のみを透過させるフィルタで、ハロゲンランプ２の光の内、それらの波長帯域の光のみを選択的にフィルムＰに照射させる。
【００３４】
第１ＣＣＤラインセンサ７は、カラー３色ＣＣＤラインセンサで、青色光、緑色光、赤色光の各色に対応した分光感度を有するＣＣＤラインセンサが並列一体化されて配列されている。
【００３５】
第２ＣＣＤラインセンサ８は、赤外光と赤色光に対応した分光感度を有するＣＣＤラインセンサからなり、こららが並列一体化されて配列されている。
【００３６】
コールドミラー８は、ネガフィルムの赤色光の透過波長帯域の下限の波長である６５０ｎｍ未満の光を反射させて第１ＣＣＤラインセンサ７に照射し、６５０ｎｍ以上の光を透過させ第２ＣＣＤラインセンサ８に照射する。
【００３７】
すなわち、第１ＣＣＤラインセンサ７には青色光、緑色光、および赤色光の内の波長が６５０ｎｍ未満の光が、第２ＣＣＤラインセンサ８には赤色光の内の波長が６５０ｎｍ以上の光が振り分けて照射される。
【００３８】
フィルム上の画像の読み取りに当っては各ＣＣＤラインセンサ７、８は内部で電子走査により主走査を行う一方、フィルム送り装置３でフィルムＰを副走査方向に変位させて副走査を行い、画像全体を読み取っている。
【００３９】
ネガフィルムの画像の読み取りを本実施形態の画像読取装置１で行うと、ネガフィルムの赤色の画像光である波長が６５０ｎｍ以上の光は第２ＣＣＤラインセンサ８に照射され、同時に不要な６５０ｎｍ未満の光は第１ＣＣＤラインセンサ７に照射されるが、以降のデータ処理において赤色光については第２ＣＣＤラインセンサ８により得られたデータのみが使用されるので色再現性には影響を及ぼさない。
【００４０】
また、ポジフィルムの画像の読み取りを行う場合はポジフィルムを透過した赤色光の波長帯域が６３０〜７５０ｎｍであるため、赤色光の内、波長が６５０ｎｍ未満の光は第１ＣＣＤラインセンサ７に、波長が同波長以上の光は第２ＣＣＤラインセンサ８にそれぞれ分かれて照射されることになるが、この場合はそれぞれのセンサによるデータを加算処理し、赤色光に関する一つのデータとしている。
【００４１】
以上のように本実施形態によれば、調光フィルタＦとして、ポジフィルムの透過波長帯域の波長に相当する光のみを透過させる調光フィルタＦｐを使用するだけで、ネガフィルム、ポジフィルムいずれについても、色再現性に優れた読み取りを行うことができる。
【００４２】
また、第２ＣＣＤラインセンサ８には、赤外光の波長に対応した分光感度を有するＣＣＤラインセンサが備えられているため、赤外光によるキズや埃のみに関する画像データも取得することができ、可視光による画像のデータとの間で演算処理を行うことでキズや埃による欠陥のない画像を得ることができる。
【００４３】
【発明の効果】
以上説明したように、本発明にかかる画像読取装置によれば、分光手段により特定の波長を境界として画像光を第１ＣＣＤラインセンサと第２ＣＣＤラインセンサに振り分けて照射させることにより、調光フィルタの切り替えを行うことなく、ネガフィルムとポジフィルムとの赤色光の透過波長特性の差異に起因する、色再現性の低下を防止することができる。
【図面の簡単な説明】
【図１】本発明の一実施形態の画像読取装置の構成を示す図。
【図２】本発明の一実施形態のコールドミラーの分光透過率特性を示すグラフ。
【図３】従来の画像読取装置の構成を示す図。
【図４】従来の画像読取装置のコールドミラーの分光透過率特性を示すグラフ。
【図５】ネガフィルムの分光透過率特性を示すグラフ。
【図６】ポジフィルムの分光透過率特性を示すグラフ。
【符号の説明】
１  画像読取装置
２    ハロゲンランプ
６  ビームスプリッタ
７    第１ＣＣＤラインセンサ
８    第２ＣＣＤラインセンサ
Ｐ    フィルム
【図１】
0003632921.tif 000002
【図２】
0003632921.tif 000003
【図３】
0003632921.tif 000004
【図４】
0003632921.tif 000005
【図５】
0003632921.tif 000006
【図６】
0003632921.tif 000007